(57)【要約】【課題】  カフ帯の収納を確実化してその脱落を防止できる血圧計を提供すること。【解決手段】  動脈の存在する部位に巻き付けられる空気封入用のカフ帯１１が、血圧計本体１２と別体に設けられた血圧計１０において、上記血圧計本体における立設部３２の背面３２Ｂ側の底部３１に、上記カフ帯を収納する円筒形状のカフ帯収納部３３が貫通状態で設けられ、このカフ帯収納部には、カフ帯を収納しまたは取り出す出入口３４が、血圧計本体に対して横位置に設けられたものである。【選択図】            図１
2006175000.tif 000002
【特許請求の範囲】
【請求項１】
動脈の存在する部位に巻き付けられる気体封入用のカフ帯が、血圧計本体と別体に設けられた血圧計において、
上記血圧計本体の背面側に、上記カフ帯を収納する筒形状のカフ帯収納部が設けられたことを特徴とする血圧計。
【請求項２】
上記カフ帯収納部には、カフ帯を収納しまたは取り出す出入口が、血圧計本体に対して横位置に設けられたことを特徴とする請求項１に記載の血圧計。
【請求項３】
上記カフ帯収納部は貫通した筒形状に形成されて、このカフ帯収納部の両側に出入口が設けられたことを特徴とする請求項１または２に記載の血圧計。
【請求項４】
上記カフ帯収納部は、血圧計本体の底部に設置されたことを特徴とする請求項１乃至３のいずれかに記載の血圧計。
【発明の詳細な説明】
【技術分野】
【０００１】
本発明は、動脈の存在する部位に巻き付けられるカフ帯を収納するカフ帯収納部を備えた血圧計に関する。
【背景技術】
【０００２】
血圧計には、動脈の存在する部位に巻き付けられる空気封入用のカフ帯が、血圧計本体とチューブで接続され、両者が別体に設けられたものがある。このような血圧計には、血圧計本体にカフ帯収納部が設けられ、血圧計の非使用時に、カフ帯を上記カフ帯収納部内に収納しておくものが開示されている（例えば特許文献１に記載）。
【特許文献１】特開２００２‐３６９８０４号公報
【発明の開示】
【発明が解決しようとする課題】
【０００３】
ところが、上記公報記載の血圧計におけるカフ帯収納部は側面視略Ｕ字形状をなし、この略Ｕ字形状の中にカフ帯を収納するものである。このため、血圧計の移動時において血圧計本体が傾いた場合、カフ帯収納部からカフ帯が簡単に脱落してしまう恐れがある。
【０００４】
また、カフ帯収納部へのカフ帯の収納または取出し動作は、カフ帯を重力に逆らって鉛直方向に移動させることによって実施されるため容易でない。
更に、カフ帯をカフ帯収納部内に収納させたときには、血圧計の重心が高い位置となってしまうので、血圧計の安定性が低下して転倒してしまう恐れがある。
【０００５】
本発明の目的は、上述の事情を考慮してなされたものであり、カフ帯の収納を確実化してその脱落を防止できる血圧計を提供することにある。
【課題を解決するための手段】
【０００６】
請求項１に記載の発明は、動脈の存在する部位に巻き付けられる気体封入用のカフ帯が、血圧計本体と別体に設けられた血圧計において、上記血圧計本体の背面側に、上記カフ帯を収納する筒形状のカフ帯収納部が設けられたことを特徴とするものである。
【０００７】
請求項２に記載の発明は、請求項１に記載の発明において、上記カフ帯収納部には、カフ帯を収納しまたは取り出す出入口が、血圧計本体に対して横位置に設けられたことを特徴とするものである。
【０００８】
請求項３に記載の発明は、請求項１または２に記載の発明において、上記カフ帯収納部は貫通した筒形状に形成されて、このカフ帯収納部の両側に出入口が設けられたことを特徴とするものである。
【０００９】
請求項４に記載の発明は、請求項１乃至３のいずれかに記載の発明において、上記カフ帯収納部は、血圧計本体の底部に設置されたことを特徴とするものである。
【発明の効果】
【００１０】
請求項１に記載の発明によれば、血圧計本体の背面側に、上記カフ帯を収納する筒形状のカフ帯収納部が設けられたことから、カフ帯を巻き回してカフ帯収納部内に収納することで当該カフ帯を確実に収納して保持でき、このため、血圧計の移動時にカフ帯が血圧計本体から脱落することを防止できる。
【００１１】
請求項２に記載の発明によれば、カフ帯収納部には、カフ帯を収納しまたは取り出す出入口が血圧計本体に対して横位置に設けられたことから、血圧計本体の横方向を水平方向として当該血圧計本体を設置したとき、カフ帯収納部の出入口も水平方向を向くことになる。この結果、カフ帯を重力に逆らって鉛直方向に移動させることなく、水平方向に移動させることでカフ帯収納部内に収納し、またはカフ帯収納部から取り出すことができるので、カフ帯の収納及び取出し動作を容易化できる。
【００１２】
請求項３に記載の発明によれば、カフ帯収納部が貫通した筒形状に形成されて、このカフ帯収納部の両側に出入口が設けられたことから、カフ帯を一方の出入口のみからではなく、２つの出入口のいずれかから出入させてカフ帯収納部内に収納し、またはカフ帯収納部から取り出すことができる。
【００１３】
請求項４に記載の発明によれば、カフ帯収納部が血圧計本体の底部に設置されたことから、カフ帯収納部と一体化された血圧計本体の重心が低い位置となり、この血圧計本体の安定性を向上させることができる。
【発明を実施するための最良の形態】
【００１４】
以下、本発明を実施するための最良の形態を、図面に基づき説明する。
図１は、本発明に係る血圧計の一実施形態を示す斜視図である。図２は、図１の血圧計の構成を示す図である。
【００１５】
これらの図１及び図２に示す血圧計１０は、動脈の存在する部位、例えば腕や手首などに巻き付けられるカフ帯１１が、血圧計本体１２とは別体に設けられ、これらがチューブ１３によって接続されたものである。
【００１６】
カフ帯１１は、血圧計本体１２からプラグ１４及びチューブ１３を介して、気体としての空気が封入される空気袋であるブラダー１５を備えると共に、腕などに巻き付けられた後に緩まないようにするための面状ファスナ１６が設けられる。このカフ帯１１は、腕などに巻き付けられて装着された後にブラダー１５に空気が圧送されることで、このブラダー１５が膨張して装着した部位を圧迫し、この装着した部位の動脈内の血流を一時的に阻血させたり、またはブラダー１５内の空気を徐々に排出することで、装着した部位に作用する圧力を軽減して、この装着した部位の動脈内の血流を再開させるために使用される。
【００１７】
上記血圧計本体１２は、カフ帯１１のブラダー１５へ空気を圧送する加圧ポンプ１７と、カフ帯１１のブラダー１５内の空気を徐々にまたは急速に排出するスローリーク弁１８と、カフ帯１１のブラダー１５内の圧力を検出する圧力センサ１９とを有して構成される。血圧計本体１２は、更に、チューブ１３に接続されたプラグ１４を差し込むためのコネクタ２０を備え、このコネクタ２０にチューブ２１及び継手２２を介して上記加圧ポンプ１７及びスローリーク弁１８が接続され、また、上記コネクタ２０にチューブ２１を介して上記圧力センサ１９が接続される。
【００１８】
血圧計本体１２は、図１及び図４に示すように、血圧測定の実行などを指示する操作スイッチ２３を備えると共に、制御部２４（ＣＰＵ）を備える。この制御部２４は、加圧ポンプ１７、スローリーク弁１８及び圧力センサ１９の動作を操作スイッチ２３からの指示に基づいて制御すると共に、圧力センサ１９の検出値に基づいて血圧値や脈拍などを算出する。上記操作スイッチ２３は、血圧計本体１２における立設部３２（後述）の正面３２Ａに設けられる。また、この正面３２Ａには、操作スイッチ２３からの入力値及び、制御部２４にて算出された血圧値や脈拍などを表示するモニター２５が設けられている。
【００１９】
上記圧力センサ１９は、カフ帯１１におけるブラダー１５内の圧力値を電気信号、つまり当該圧力値に応じて周波数が変化するパルス信号に変換して出力する。このパルス信号が圧力測定回路２６にて圧力値に変換されて、制御部２４に入力される。また、血圧計本体１２には、電源２７からの電力を取り込んで、加圧ポンプ１７や各種電気回路へ供給する電源回路２８が設けられている。
【００２０】
ここで、血圧の測定について説明する。血圧計本体１２の電源スイッチ（不図示）をオン操作すると、電源２７から電源回路２８へ電力が供給され、この電源回路２８から加圧ポンプ１７等へ電力が供給される。次に、被験者の腕にカフ帯１１を巻き付け、血圧測定の条件を操作スイッチ２３の操作ボタン２９を操作することで入力した後、操作スイッチ２３のスタートボタン３０を操作する。
【００２１】
すると、制御部２４からの信号によって加圧ポンプ１７が起動し、チューブ１３を介してカフ帯１１のブラダー１５内へ空気が圧送され、このブラダー１５が膨張して腕を圧迫することで、腕の動脈の血流が阻血される。カフ帯１１におけるブラダー１５内の圧力が設定値まで上昇した段階でスローリーク弁１８が徐々に開弁され、ブラダー１５内の空気が徐々に排気されることで、このブラダー１５内が徐々に減圧される。このときのブラダー１５内の圧力変化が圧力センサ１９にて検出され、圧力測定回路２６を経て制御部２４へ入力されることで、この制御部２４は血圧を算出し、最高血圧値、最低血圧値及び脈拍などをモニター２５に表示する。
【００２２】
モニター２５に最高血圧値及び最低血圧値などが表示された後にスローリーク弁１８が全開状態となり、カフ帯１１におけるブラダー１５内の圧力が急激に減圧される。この状態で、カフ帯１１を腕から取り外して、血圧の測定を終了する。
【００２３】
ところで、前記血圧計本体１２は、図１、図５及び図６に示すように、底部３１の前方端から立設部３２が、垂直に対し背面３２Ｂ側へ傾斜して、側面視略く字形状に一体に立設されたものである。立設部３２の正面３２Ａに、前述の如くモニター２５及び操作スイッチ２３が配置される。そして、血圧計本体１２における立設部３２の背面３２Ｂ側の底部３１に、円筒形状のカフ帯収納部３３が一体に成形されている。
【００２４】
このカフ帯収納部３３は、血圧計１０の非使用時に、カフ帯１１を巻き回して収納するものである（図１及び図５の２点鎖線表示）。このカフ帯収納部３３は、その軸心Ｏ(図６)を血圧計本体１２の横方向Ｘと一致させた、貫通した円筒形状に構成される。従って、カフ帯１１をカフ帯収納部３３内に収納しまたは取り出すための開口である出入口３４は、カフ帯収納部３３の両側に１つずつ設けられて、それぞれが血圧計本体１２に対する横位置に位置づけられる。
【００２５】
従って、上記実施の形態によれば、次の効果（１）〜（４）を奏する。
（１）血圧計本体１２における立設部３２の背面３２Ｂ側の底部３１に、カフ帯１１を収納する円筒形状のカフ帯収納部３３が設けられたことから、カフ帯１１を巻き回してカフ帯収納部３３内に収納することで当該カフ帯１１を確実に収納して保持できる。このため、血圧計１０の移動時にカフ帯１１が血圧計本体１２から脱落することを防止できる。
【００２６】
（２）血圧計本体１２のカフ帯収納部３３には、カフ帯１１を収納しまたは取り出す出入口３４が、血圧計本体１２に対して横位置に設けられたことから、血圧計本体１２の横方向Ｘを水平方向として当該血圧計本体１２を設置したとき、カフ帯収納部３３の出入口３４も水平方向を向くことになる。この結果、カフ帯１１を、重力に逆らって鉛直方向に持ち上げて移動させることなく、水平方向に移動させることでカフ帯収納部３３内に収納し、またはカフ帯収納部３３から取り出すことができるので、カフ帯１１の収納及び取出し動作を容易化できる。
【００２７】
（３）血圧計本体１２のカフ帯収納部３３が貫通した円筒形状に形成されて、このカフ帯収納部３３の両側に出入口３４が設けられたことから、カフ帯１１を一方の出入口３４のみからではなく、２つの出入口３４のいずれかから出入させてカフ帯収納部３３内に収納し、またはカフ帯収納部３３から取り出すことができる。
【００２８】
（４）カフ帯収納部３３が血圧計本体１２の底部３１に設置されたことから、カフ帯収納部３３と一体化された血圧計本体１２の重心が低い位置となり、この血圧計本体１２の安定性を向上させることができる。このため、特に、カフ帯収納部３３内にカフ帯１１を収納させた場合にも、血圧計１０の全体としてのバランスを安定化させることができる。
【００２９】
以上、本発明を上記実施の形態に基づいて説明したが、本発明はこれに限定されるものではない。例えば、上記実施の形態では、カフ帯収納部３３は円筒形状のものを述べたが、楕円筒形状、または四角もしくは五角などの角筒形状のものでもよい。
【図面の簡単な説明】
【００３０】
【図１】本発明に係る血圧計の一実施形態を示す斜視図である。
【図２】図１の血圧計の構成を示す図である。
【図３】図１の血圧計の使用状態を示す図である。
【図４】図１の血圧計の構成を示すブロック図である。
【図５】図１の血圧計本体を示す側面図である。
【図６】図１の血圧計本体を示す平面図である。
【符号の説明】
【００３１】
１０  血圧計
１１  カフ帯
１２  血圧計本体
１５  ブラダー
３１  底部
３２  立設部
３２Ｂ  背面
３３  カフ帯収納部
３４  出入口
Ｘ  血圧計本体の横方向
【図１】
2006175000.tif 000003
【図２】
2006175000.tif 000004
【図３】
2006175000.tif 000005
【図４】
2006175000.tif 000006
【図５】
2006175000.tif 000007
【図６】
2006175000.tif 000008